(57)【要約】【課題】非接触型記録メディアの交換を容易に行うことができるようする。【解決手段】挿入方向に対して後方側に係合部である凹部１９を設けた非接触型記録メディア１０が挿入される挿入口３１と、挿入口３２からの非接触型記録メディアの挿入に連動して、挿入されていた非接触型記録メディアが排出される排出口３３と、非接触型記録メディアが予め設定された位置まで挿入されたときに非接触型記録メディア１０の凹部１９と係合して、挿入された非接触型記録メディアを保持する第１の係合部である凸部３５と、排出口側に設けられて、この排出口３３から排出される非接触型記録メディア１０の凹部１９と係合して、排出される非接触型記録メディア１０を保持するための第２の係合部である凸部３６を、記録メディア保持装置３０に設ける。【選択図】        図４
2007257604.tif 000002
【特許請求の範囲】
【請求項１】
挿入方向に対して後方側に係合部を設けた非接触型記録メディアが挿入される挿入口と、
前記挿入口からの前記非接触型記録メディアの挿入に連動して、挿入されていた前記非接触型記録メディアが排出される排出口と、
前記非接触型記録メディアが予め設定された位置まで挿入されたときに前記非接触型記録メディアの係合部と係合して、挿入された前記非接触型記録メディアを保持する第１の係合部と、
前記排出口側に設けられて、該排出口から排出される前記非接触型記録メディアの係合部と係合して、該排出される非接触型記録メディアを保持する第２の係合部を有する
ことを特徴とする記録メディア保持装置。
【請求項２】
前記挿入口から挿入された前記非接触型記録メディアによって、挿入されている前記非接触型記録メディアを押し出して前記排出口から排出させるものとし、
前記第２の係合部は、前記非接触型記録メディアが前記予め設定された位置まで挿入されたときに、前記排出口から押し出された前記非接触型記録メディアの係合部と係合する位置に設けた
ことを特徴とする請求項１記載の記録メディア保持装置。
【請求項３】
前記非接触型記録メディアに対してデータの読み書きを行うリーダライタが設けられている方向に、前記非接触型記録メディアを押圧する押圧部を設けた
ことを特徴とする請求項１記載の記録メディア保持装置。
【請求項４】
前記予め設定された位置は、前記非接触型記録メディアに対してデータの読み書きを行うリーダライタと、データ伝送を少なくとも行うことができる前記非接触型記録メディアの位置とした
ことを特徴とする請求項１記載の記録メディア保持装置。
【請求項５】
非接触型記録メディアが予め設定された位置まで挿入されたとき、該非接触型記録メディアの前端と後端をそれぞれ掛止する掛止爪が設けられた掛止部と、
前記掛止爪の位置が前記非接触型記録メディアを掛止する第１の位置となるように、前記掛止部を付勢する付勢部を有し、
前記掛止爪において、前記非接触型記録メディアの挿入時に該非接触型記録メディアの前端が当接する当接面は、挿入された前記非接触型記録メディアが摺動するように形成し、
前記非接触型記録メディアが挿入されたときは、該非接触型記録メディアを前記当接面で摺動させることにより、前記付勢部による付勢に反した力を生じさせて、前記掛止爪を前記非接触型記録メディアの掛止が行われない第２の位置に移動させるものとし、
前記非接触型記録メディアが予め設定された位置まで挿入されたとき、該非接触型記録メディアが摺動する当接面を形成した掛止爪を通過させて、前記付勢部によって前記掛止爪の位置を前記第１の位置に移動させる
ことを特徴とする記録メディア保持装置。
【請求項６】
前記掛止部は、前記非接触型記録メディアの後端を掛止する掛止爪が一方の端部に設けられて、他方の端部に連結部が設けられている第１アームと、前記非接触型記録メディアの前端を掛止する掛止爪が一方の端部に設けられて、他方の端部に前記第１掛止部の連結部と連結される連結部が設けられた第２アームを有し、
連結されている前記第１アームと前記第２アームを、それぞれ揺動可能に支持して、前記第１アームと前記第２アームの掛止爪を前記第１の位置あるいは前記第２の位置に連動して移動可能とする
ことを特徴とする請求項５記載の記録メディア保持装置。
【請求項７】
前記掛止部には、前記掛止爪を前記第１の位置から前記第２の位置に移動させる操作を行うための解除操作部を設けた
ことを特徴とする請求項５記載の記録メディア保持装置。
【請求項８】
前記非接触型記録メディアを前記当接面で摺動させるとき、前記付勢部による付勢によって、前記非接触型記録メディアが付勢方向に移動しまうことがないように抑止する抑止部を設けた
ことを特徴とする請求項５記載の記録メディア保持装置。
【請求項９】
前記予め設定された位置は、前記非接触型記録メディアに対してデータの読み書きを行うリーダライタと、データ伝送を少なくとも行うことができる前記非接触型記録メディアの位置とした
ことを特徴とする請求項５記載の記録メディア保持装置。
【発明の詳細な説明】
【技術分野】
【０００１】
この発明は、記録メディア保持装置に関する。詳しくは、挿入方向に対して後方側に係合部を設けた非接触型記録メディアが、挿入口から予め設定された位置まで挿入されたときに非接触型記録メディアの係合部と係合して、挿入された非接触型記録メディアを保持する第１の係合部と、排出口から排出される非接触型記録メディアの係合部と係合して、排出される非接触型記録メディアを保持する第２の係合部を有するものである。
【背景技術】
【０００２】
従来、データの読み書きが可能な携帯型の接触型記録メディア、例えば半導体メモリ等の記憶素子を用いて構成されており、信号伝送や電力供給のための接点が設けられているメモリカードでは、スロット型のリーダライタを用いてデータの読み書きが行われている。このスロット型のリーダライタでは、リーダライタのカード装填口にメモリカードを挿入することで、メモリカードの接点とリーダライタに設けた接点とを接続してデータの読み書き等が行われる。また、挿入されているメモリカードを容易に抜き取ることができるものとするため、特許文献１に示すようにイジェクト機構を設けることが行われている。特許文献１では、イジェクトつまみをスライドしたときに、イジェクト爪がメモリカードのイジェクト用溝の端面を押すことで、メモリカードが抜き取られるように構成されている。
【０００３】
【特許文献１】２００４−２８８２０２号公報
【発明の開示】
【発明が解決しようとする課題】
【０００４】
ところで、上述のような携帯型の記録メディアとしては、上述のような接点を有する接触型記録メディア（例えばメモリカード等）だけでなく、接点が設けられていない非接触型記録メディア（例えばＩＣカード等）も用いられている。この非接触型記録メディアは、接点が設けられていないことから、記録メディアをリーダライタのカード装填口に挿入して、非接触型記録メディアの接点とリーダライタの接点を接続したり、挿入された記録メディアをリーダライタのカード装填口から抜き取ることで、非接触型記録メディアの接点とリーダライタの接点の接続を解除する必要がない。
【０００５】
しかし、従来のリーダライタのように記録メディアをカード装填口に挿脱する構成とすると、記録メディアの交換の際には、カード装填口に装填されている記録メディアを引き抜いてから、新しい記録メディアをスロットに挿入する必要があり、記録メディアの交換に時間を要してしまう。このため、例えばビデオカメラで撮像した画像を記録メディアに書き込むものとした場合、記録メディアの交換に時間を要すると、重要なシーンを撮り逃がしてしまうおそれがある。また、記録メディアの挿脱を容易とするためには、記録メディアのインジェクト機構やエジェクト機構が必要となりコスト高となってしまう。
【０００６】
そこで、この発明では非接触型記録メディアの交換を容易に行うことができる記録メディア保持装置を提供するものである。
【課題を解決するための手段】
【０００７】
この発明に係る記録メディア保持装置は、挿入方向に対して後方側に係合部を設けた非接触型記録メディアが挿入される挿入口と、この挿入口から挿入された非接触型記録メディアによって、例えば挿入されている非接触型記録メディアが挿入方向に押し出される排出口と、非接触型記録メディアが予め設定された位置に挿入されたとき、すなわち、非接触型記録メディアに対してデータの読み書きを行うリーダライタとのデータ伝送を少なくとも行うことができる位置に挿入されたとき、非接触型記録メディアの係合部と係合して、挿入された非接触型記録メディアを保持する第１の係合部と、排出口側に設けられて、非接触型記録メディアが予め設定された位置まで挿入されたときに排出口から押し出された非接触型記録メディアの係合部と係合して、排出される非接触型記録メディアを保持する第２の係合部を有するものである。
【０００８】
また、この発明に係る記録メディア保持装置は、非接触型記録メディアが予め設定された位置まで挿入されたとき、該非接触型記録メディアの前端と後端をそれぞれ掛止する掛止爪が設けられた掛止部と、掛止爪の位置が非接触型記録メディアを掛止する第１の位置となるように、掛止部を付勢する付勢部を有し、掛止爪において、非接触型記録メディアの挿入時に該非接触型記録メディアの前端が当接する当接面は、挿入された非接触型記録メディアが摺動するように形成し、非接触型記録メディアが挿入されたときは、該非接触型記録メディアを当接面で摺動させることにより、付勢部による付勢に反した力を生じさせて、掛止爪を非接触型記録メディアの掛止が行われない第２の位置に移動させるものとし、非接触型記録メディアが予め設定された位置まで挿入されたとき、該非接触型記録メディアが摺動する当接面を形成した掛止爪を通過させて、付勢部によって掛止爪の位置を前記第１の位置に移動させるものである。
【発明の効果】
【０００９】
この発明によれば、 挿入方向に対して後方側に係合部を設けた非接触型記録メディアが挿入口から挿入されたとき、この非接触型記録メディアの挿入に連動して、挿入されていた非接触型記録メディアが排出口から排出される。また、非接触型記録メディアが予め設定された位置まで挿入されたときに、この非接触型記録メディアの係合部と第１の係合部が係合して、挿入された非接触型記録メディアが保持される。さらに、排出される非接触型記録メディアの係合部が排出口側に設けられた第２の係合部と係合して、排出される非接触型記録メディアが保持される。また、非接触型記録メディアが予め設定された位置まで挿入されたときに、非接触型記録メディアの前端と後端が掛止爪によって掛止されて、非接触型記録メディアの保持も行われる。
【００１０】
このため、非接触型記録メディアを挿入口から挿入するだけで、非接触型記録メディアの交換を行うことができるので、非接触型記録メディアの交換に要する時間が短縮されて、例えば撮像装置に記録メディア保持装置を設けたときには、重要なシーンを取り逃がす確率を減らすことが可能となる。また、挿入されていた非接触型記録メディアが排出口から排出されたとき、排出される非接触型記録メディアの係合部と第２の係合部が係合して、排出される非接触型記録メディアが保持されるので、非接触型記録メディアの交換時に、取り出された非接触型記録メディアの落下による破損、紛失を減らすことができる。また、構造が簡単であることから記録メディア保持装置を安価に構成できる。さらに、掛止爪を非接触型記録メディアに掛止させて、非接触型記録メディアの保持を行う場合、保持されている非接触型記録メディアの脱落等を生じ難くすることができるので、非接触型記録メディアの保持を確実に行うことができる。
【発明を実施するための最良の形態】
【００１１】
以下、図を参照しながら、この発明の実施の一形態について説明する。図１は記録メディア保持装置で保持される非接触型記録メディアの構成を示すブロック図である。
【００１２】
非接触型記録メディア１０は、リーダライタ（図示せず）から非接点電力伝送によって電力供給を受けるための電力伝送部１１と、非接触でリーダライタとデータの読み書きを行うための信号伝送部１３を有している。また、リーダライタにも、電力伝送部１１と同様に構成された電力伝送部と信号伝送部１３と同様に構成された信号伝送部が設けられている。
【００１３】
図２は、非接点電力伝送を行う場合に用いる電力伝送部を例示したものである。非接触型記録メディア１０の電力伝送部１１は、図２Ａに示すように、例えば絶縁された単線１１１を同一平面内で渦巻き状に巻いた平面コイル１１２を用いて構成する。また、リーダライタの電力伝送部２１も、電力伝送部１１と同様に、絶縁された単線２１１を同一平面内で渦巻き状に巻いた平面コイル２１２を用いて構成する。
【００１４】
また、図２Ｂに示すように、平面コイル１１２の両面に、シート状の絶縁部１１３，１１４を設ける。また、リーダライタとの対向面とは逆側の面に金属シート１１５を設け、漏れ磁束等を防止する。同様に、平面コイル２１２の両面に、シート状の絶縁部２１３，２１４を設ける。また、非接触型記録メディア１０との対向面とは逆側の面に金属シート２１５を設けて漏れ磁束等を防止する。
【００１５】
ここで、電力伝送部２１の平面コイル２１２の端子に交流電流を供給して交流磁場を発生させると、電力伝送部１１と電力伝送部２１との電磁結合により、電力伝送部１１の平面コイル１１２の端子間に誘導電圧が発生する。この発生した誘導電圧を図１に示す電力供給部１２に供給する。
【００１６】
電力供給部１２は、電力伝送部１１と電力伝送部２１との電磁結合によって生じた誘導電圧の整流や平滑を行い、得られた直流電圧を非接触型記録メディア１０の各部に対して供給する。
【００１７】
なお、図２では、単線１１１，２１１を同一平面内で渦巻き状に巻いた平面コイル１１２，２１２を用いる場合について示したが、例えば基板上に渦巻き状のパターンを設けることで平面コイルを形成してもよい。この場合、巻き数の多いコイルを容易かつ安価に形成できる。
【００１８】
非接触型記録メディアとリーダライタ間での信号伝送では、データの読み書きを高速に行うことができるように、非接点電力伝送で用いる周波数帯よりも高い周波数帯を用いる。また、非接触型記録メディアとリーダライタを密接させてデータの読み書きを行うときには、電波の送受信を行わなくとも線路間結合を利用してデータ伝送を行うことも可能となる。
【００１９】
図３は、線路間結合を利用してデータ伝送を行う信号伝送部の構成を示している。なお、図３Ｂは、図３ＡにおけるＩ−Ｉ’位置の断面概略図である。
【００２０】
非接触型記録メディア１０の信号伝送部１３は、図３Ａに示すように、誘電体基板１３１の一方の面を接地パターン１３２として他方の面に信号パターン１３３を形成したマイクロストリップライン構造とする。信号パターン１３３の一方の端子は、誘電体基板１３１を貫通させて設けられているビア１３４と、終端抵抗１３５とを介して接地する。また、他方の端子は、誘電体基板１３１を貫通させて設けられているビア１３６を介して、図１に示す信号伝送処理部１４と接続する。
【００２１】
また、リーダライタ２０も非接触型記録メディア１０の信号伝送部１３と同様に信号伝送部２３を設ける。すなわち、誘電体基板２３１の一方の面を接地パターン２３２として他方の面に信号パターン２３３を形成したマイクロストリップライン構造とする。信号パターン２３３の一方の端子は、誘電体基板２３１を貫通させて設けられているビア２３４と、終端抵抗２３５とを介して接地する。また、他方の端子は、誘電体基板２３１を貫通させて設けられているビア２３６を介してリーダライタ２０の信号伝送処理部（図示せず）と接続する。
【００２２】
さらに、非接触型記録メディア１０に対してデータの読み書きを行うときには、信号パターン１３３と信号パターン２３３間で線路間結合が生じやすくなるように、信号パターン１３３と信号パターン２３３が対向するように、非接触型記録メディア１０とリーダライタ２０を密接させる。
【００２３】
ここで、リーダライタの信号伝送処理部から信号伝送部２３に高周波信号を供給したとき、信号パターン１３３と信号パターン２３３間で線路間結合が生じて、非接触型記録メディア１０の信号伝送処理部１４には、リーダライタの信号伝送処理部から出力された高周波信号が供給されることとなる。また、信号伝送処理部１４から信号伝送部１３に高周波信号を供給したときにも線路間結合が生じて、リーダライタの信号伝送部２３には、非接触型記録メディア１０の信号伝送処理部１４から出力された高周波信号が供給されることとなる。
【００２４】
図１に示す信号伝送処理部１４は、信号伝送部１３から供給された高周波信号を、リーダライタの信号伝送処理部で処理される前の信号に戻してメディア制御部１５に供給する。また、信号伝送処理部１４は、メディア制御部１５から供給された信号を伝送用の高周波信号に変換して信号伝送部１３に供給する。
【００２５】
メディア制御部１５は、信号伝送処理部１４から供給された信号に基づき、リーダライタからどのような指示がなされているかを判別して、判別結果に基づいた処理を行う。例えば、リーダライタから書込要求がなされたと判別したときには、リーダライタから供給されたデータを記憶部１６に記憶させる。また、リーダライタから読出要求がなされたと判別したときには、リーダライタから要求されたデータを記憶部１６から読み出して所定のフォーマットの信号として信号伝送処理部１４に供給する。
【００２６】
このように構成された非接触型記録メディア１０では、電力伝送部１１,電力供給部１２，信号伝送部１３，信号伝送処理部１４，メディア制御部１５，記憶部１６を、密閉型の筐体内部に設けて一体化する。また、電力伝送部１１と信号伝送部１３は、電力伝送や信号伝送を効率よく行うことができるように、リーダライタと密接する側の筐体内面に設ける。このように、非接触型記録メディア１０には接点が設けられていないことから、接点へのゴミの付着による接点不良を生ずることがなく、静電気による内部回路の破損の可能性も低くできるので、高い信頼性を確保できる。
【００２７】
図４は、記録メディア保持装置と非接触型記録メディアの外観を例示したものである。なお図４Ａは正面図、図４Ｂは平面図、図４Ｃは左側面図をそれぞれ示している。非接触型記録メディア１０は、電力伝送部１１と信号伝送部１３を設けた面をリーダライタ２０側として、リーダライタ２０に取り付けられている記録メディア保持装置３０の挿入口３２から挿入される。また、挿入されている非接触型記録メディア１０は、挿入口３２に対して反対側に設けられている排出口３３から排出される。
【００２８】
非接触型記録メディア１０には、記録メディア保持装置３０に挿入するときの後端側に、非接触型記録メディア１０を位置決めした状態で保持可能とする係合部を設ける。例えば、係合部として非接触型記録メディア１０の両側面に凹部１９を形成する。
【００２９】
また、非接触型記録メディア１０が記録メディア保持装置３０に挿入されて、非接触型記録メディア１０の電力伝送部１１とリーダライタ２０の電力伝送部２１、および非接触型記録メディア１０の信号伝送部１３とリーダライタ２０の信号伝送部２３がそれぞれ対向する位置となったとき、この位置とされた非接触型記録メディア１０の係合部と係合する第１の係合部を記録メディア保持装置３０の内側の両側面に設ける。例えば、非接触型記録メディア１０の凹部１９と係合する凸部３５を記録メディア保持装置３０の内側の両側面に設ける。
【００３０】
この凸部３５は、挿入される非接触型記録メディア１０によって外側に押し出し可能であり、外側に押し出されたときには元の位置に戻るように付勢力が加わる構成とする。例えば、凸部３５を設けた部分の筐体をＵ字状に切り欠くことで、筐体の一部を弾性体として利用する。あるいは、板バネ等の弾性体を介して凸部３５を記録メディア保持装置３０の筐体に接続する。
【００３１】
また、凹部１９と凸部３５の係合面は、挿入されている非接触型記録メディアに対して、挿入方向に所定以上の力が加わったとき、凸部３５が外側に押し出されて凹部１９との係合が解除されるように形成する。例えば凹部１９と凸部３５の係合面を図４のように球面状に形成する。また、凹部１９と凸部３５の係合面を円柱の側面のような形状としたり、凹部１９を谷状、凸部３５を山状の形状としてもよい。
【００３２】
このように凹部１９と凸部３５を形成すると、非接触型記録メディア１０を記録メディア保持装置３０の挿入口３２から挿入したとき、凹部１９と凸部３５が係合して、非接触型記録メディア１０が電力伝送や信号伝送を効率よく行うことができるように位置決め保持される。
【００３３】
また、記録メディア保持装置３０に挿入されている非接触型記録メディアを排出口３３から押し出すようにして、新たな非接触型記録メディアを記録メディア保持装置３０に挿入し、この新たに挿入された非接触型記録メディアの係合部と記録メディア保持装置３０の第１の係合部が係合するとき、押し出された非接触型記録メディアの係合部と係合するように、排出口３３の内側の両側面に第２の係合部を設ける。すなわち、新たに挿入された非接触型記録メディアの凹部１９と記録メディア保持装置３０の凸部３５が係合するとき、押し出された非接触型記録メディアの凹部１９と係合するように、排出口３３の内側の両側面に凸部３６を設ける。この凸部３６も凸部３５と同様な形状として、押し出される非接触型記録メディアによって外側に押し出し可能であり、外側に押し出されたときには元の位置に戻るように付勢力が加わる構成とする。
【００３４】
このように凸部３６を設けると、挿入されている非接触型記録メディアを排出口３３から押し出すように新たな非接触型記録メディアを挿入して凹部１９と凸部３５を係合させたとき、押し出された非接触型記録メディアの凹部１９と、排出口３３に設けた凸部３６が係合して、押し出された非接触型記録メディアを脱落しないように保持できる。
【００３５】
記録メディア保持装置３０の筐体３１の内面には、非接触型記録メディアをリーダライタ２０の方向に押圧する押圧部３９ａ，３９ｂを設ける。このように、押圧部３９ａ，３９ｂを設けることで、非接触型記録メディア１０は、リーダライタ２０との間隔が最小で変動しないように保持されるので、伝送路の安定性が増して、電力伝送や信号伝送をさらに効率よく行うことができる。また、挿入された非接触型記録メディア１０のがたつき等を防止することもできる。
【００３６】
さらに、押圧部３９ａを凸部３５の近傍に設けるものとすれば、挿入された非接触型記録メディア１０の凹部１９が、押圧部３９ａの押圧方向に対して逆の方向（図４Ａの上方向）に大きく位置ずれしてしまうことを防止できるので、凹部１９と凸部３５の係合面が例えば球面状に形成されている場合、非接触型記録メディア１０が予め設定された位置まで挿入されたときに、凹部１９と凸部３５を確実に係合させることができる。
【００３７】
また、押圧部３９ｂは、予め設定された位置まで新たに挿入された非接触型記録メディアの先端側と、押し出された非接触型記録メディアの後端を押圧するように設ければ、挿入された非接触型記録メディアをリーダライタ２０の方向に押圧することができるだけでなく、押し出された非接触型記録メディアを安定して保持することができる。
【００３８】
なお、筐体３１の挿入口３２側に切り欠き３１１を設けるものとすれば、新たに非接触型記録メディアを挿入しなくとも、この切り欠き３１１を利用して挿入された非接触型記録メディアを指で押し出すことができる。
【００３９】
次に、図５を用いて、非接触型記録メディアの装填／交換動作について説明する。なお、図５では、動作の理解を容易とするため、記録メディア保持装置３０については断面を示している。
【００４０】
挿入方向に対して後方側に係合部を設けた非接触型記録メディア１０ａは、図５Ａに示すように、記録メディア保持装置３０の挿入口３２からユーザによって挿入される。挿入された非接触型記録メディア１０ａは、押圧部３９によって、リーダライタが設けられている方向に押圧される。
【００４１】
図５Ｂに示すように、非接触型記録メディア１０ａが予め設定された位置、すなわち、非接触型記録メディアに対してデータの読み書きを行うリーダライタと、信号伝送や電力伝送を行う位置とされたときには、非接触型記録メディア１０ａの凹部１９と記録メディア保持装置３０の凸部３５が係合されて、非接触型記録メディア１０ａが保持される。
【００４２】
非接触型記録メディア１０ａの交換時には、新たな非接触型記録メディア１０ｂを記録メディア保持装置３０の挿入口３２から挿入して、図５Ｃに示すように、非接触型記録メディア１０ａを押し出して排出口３３から排出させる。
【００４３】
その後、挿入された非接触型記録メディア１０ｂが、図５Ｄに示すように予め設定された位置とされたときには、非接触型記録メディア１０ｂの凹部１９と記録メディア保持装置３０の凸部３５が係合されて、非接触型記録メディア１０ｂが予め設定された位置に保持される。また、排出された非接触型記録メディア１０ａの凹部１９と記録メディア保持装置３０の凸部３６が係合される。このため、記録メディア保持装置３０の排出口３３から排出された非接触型記録メディア１０ａは、記録メディア保持装置３０から脱落することなく保持される。その後、記録メディア保持装置３０の排出口３３側で保持されている非接触型記録メディア１０ａを、図５Ｅに示すように、記録メディア保持装置３０の排出口３３から引き抜くようにすれば、挿入されていた非接触型記録メディア１０ａを記録メディア保持装置３０から取り外すことができる。
【００４４】
このように、記録メディア保持装置の挿入口から非接触型記録メディアを挿入するだけで、リーダライタとの信号伝送や電力伝送を行う位置に非接触型記録メディアを保持することができる。また、非接触型記録メディアを交換する際にも、記録メディア保持装置の挿入口から新たな非接触型記録メディアを挿入するだけでよいことから、非接触型記録メディアの装填や交換を迅速かつ容易に行うことができる。さらに、挿入されていた非接触型記録メディアが記録メディア保持装置の排出口から排出されても、排出された非接触型記録メディアは記録メディア保持装置で保持されるので、排出された非接触型記録メディアが記録メディア保持装置から脱落して損傷等を生じてしまうことを防止できる。
【００４５】
ところで、上述の記録メディア保持装置３０を例えば携帯可能な電子機器に用いるものとした場合、電子機器に衝撃等が加わって、非接触型記録メディア１０と記録メディア保持装置３０との間に、非接触型記録メディアの装填方向あるいは装填方向に対して逆方向の力が加わると、記録メディア保持装置３０から非接触型記録メディア１０が外れてしまうおそれがある。そこで、他の構成の記録メディア保持装置として、非接触型記録メディアを確実に保持できる記録メディア保持装置３０ａについて、次に説明する。
【００４６】
この記録メディア保持装置３０ａは、非接触型記録メディアが予め設定された位置まで挿入されたときに、非接触型記録メディアの前端と後端に掛止爪を掛止させることで、非接触型記録メディアの保持を確実に行う。また、掛止爪による掛止状態を解除して、保持されている非接触型記録メディアの取り出しを行う。
【００４７】
図６は、他の構成の記録メディア保持装置の外観を示しており、図７は分解斜視図を示している。また、図８は、記録メディア保持装置において、非接触型記録メディアの掛止を行う掛止部４０の構成を示しており、図８Ａは正面図、図８Ｂは図８ＡにおけるＩ−Ｉ’線位置の断面概略図である。なお、図６、図７において、図４と対応する部分については同一符号を付し、詳細な説明は省略する。
【００４８】
非接触型記録メディア１０は、電力伝送部１１と信号伝送部１３を設けた面をリーダライタ２０側として、リーダライタ２０に取り付けられている記録メディア保持装置３０ａの挿入口３２から挿入される。挿入口３２は、リーダライタ２０に固定された筐体３１ａによって形成されている。また、筐体３１ａは、挿入される非接触型記録メディア１０の位置決めや、挿入された非接触型記録メディア１０がリーダライタ２０から離れてしまうことがないように非接触型記録メディア１０を抑止する。筐体３１ａには、筐体３１ａとリーダライタ２０との間に設けられた挿入口３２から挿入された非接触型記録メディア１０を、予め設定された位置まで容易に挿入できるように、切り欠き３１２が形成されている。なお、挿入口３２に対して反対側に位置する開口から非接触型記録メディア１０を挿入可能とするときには、この開口部分に切り欠き３１３を形成するものとしてもよい。
【００４９】
リーダライタ２０において、非接触型記録メディア１０と対向する面には、非接触型記録メディア１０の挿入方向に溝状の収納部２５を形成する。
【００５０】
記録メディア保持装置３０ａの掛止部４０は、挿入された非接触型記録メディア１０が予め設定された位置となったとき、非接触型記録メディア１０と掛止される掛止爪を有している。この掛止部４０は、リーダライタ２０に形成した収納部２５に配設する。
【００５１】
掛止部４０は、挿入された非接触型記録メディア１０が予め設定された位置となったとき、非接触型記録メディア１０における挿入方向の後端と掛止される第１掛止爪と、挿入方向の前端と掛止される第２掛止爪を、非接触型記録メディア１０の掛止が可能となる第１の位置に設定する。また、保持されている非接触型記録メディア１０を取り出すときや、新たな非接触型記録メディアに交換するとき、掛止状態が解除されるように第１掛止爪と第２掛止爪を第２の位置に移動させる。
【００５２】
ここで、第１掛止爪と第２掛止爪を連動させて第１あるいは第２の位置とするため、掛止部４０は、例えば第１アーム４１と第２アーム４２を連結した構成とする。第１アーム４１の一方の端部には、第１掛止爪４１１を形成する。第１アーム４１の他方の端部には、連結部４１２を形成する。第２アーム４２の一方の端部には、第２掛止爪４２１を形成する。第２アーム４２の他方の端部には、第１アーム４１の連結部４１２と連結される連結部４２２を形成する。
【００５３】
第１アーム４１は、軸４１３を中心として揺動可能なように固定する。第２アーム４２も第１アーム４１と同様に、軸４２３を中心として揺動可能なように固定する。さらに、第１アーム４１と第２アーム４２は、連結部４１２，４２２を介して連結して、第１アーム４１又は第２アーム４２の一方が揺動するとき、他方も揺動するように構成する。ここで、連結部４１２には連結部４２２の方向に延びた軸を形成する。また、連結部４２２には連結部４２２の方向に軸穴を形成する。この連結部４１２の軸を連結部４２２の軸穴に挿入して第１アーム４１と第２アーム４２を連結すれば、第１アーム４１又は第２アーム４２を連動させることができる。
【００５４】
第１掛止爪４１１において、非接触型記録メディア１０の挿入時に該非接触型記録メディア１０の前端が当接する当接面４１１ｐは、挿入された非接触型記録メディア１０が摺動するように形成する。例えば斜面や曲面のように当接面４１１ｐを形成する。なお図では当接面４１１ｐを曲面として形成した場合を示している。
【００５５】
記録メディア保持装置３０ａには、第１掛止爪４１１と第２掛止爪４２１の位置が非接触型記録メディア１０の掛止を行う第１の位置となるように、掛止部４０を付勢する付勢部を設ける。例えば、第１アーム４１と収納部２５、および第２アーム４２と収納部２５との間に、それぞれバネ等の弾性部材４３，４４を介在させる。このように、付勢部である弾性部材４３，４４を設けることで、リーダライタ２０の表面よりも第１掛止爪４１１と第２掛止爪４２１を突出させて、非接触型記録メディア１０の掛止が可能となる第１の位置に設定することができる。
【００５６】
また、第１掛止爪４１１の突出量が大きくなると、非接触型記録メディア１０を挿入したとき、第１アーム４１の端部先端と非接触型記録メディア１０の前端が対向するように接してしまい、非接触型記録メディア１０を第１掛止爪４１１の当接面４１１ｐで摺動させることができなくなってしまう。このため、第１掛止爪４１１の突出量が予め設定した突出量よりも大きくならないように制限する。例えば、第１掛止爪４１１の突出量が予め設定した突出量となったとき、第１アーム４１と第２アーム４２が収納部２５に設けられている制止部２６と当接して揺動が規制されるように構成する。このようにすれば、第１掛止爪４１１の突出量が制限されるので、挿入された非接触型記録メディア１０を確実に当接面４１１ｐで摺動させることが可能となる。また、第２アーム４２において、軸４２３から第２掛止爪４２１までの距離と軸４２３から連結部４２２までの距離を、第１アーム４１と同様に設定することで、第２掛止爪４２１の位置を第１掛止爪４１１と連動して第１の位置あるいは第２の位置に設定することができる。
【００５７】
挿入口３２から挿入された非接触型記録メディア１０は、筐体３１ａによって位置が規制される。すなわち、非接触型記録メディア１０を第１掛止爪４１１の当接面４１１ｐで摺動させるとき、弾性部材４３，４４による付勢によって、非接触型記録メディア１０が付勢方向に移動しまうことがないように抑止される。したがって、挿入された非接触型記録メディア１０が当接面４１１ｐを摺動するときは、弾性部材４３，４４の付勢力に反した力が掛止部４０に加わることとなる。このため、第１掛止爪４１１の位置は、非接触型記録メディア１０の掛止を行う第１の位置から、収納部２５に収納されて非接触型記録メディア１０の掛止が行われない第２の位置に移動される。また、第１アーム４１と第２アーム４２は連結されていることから、第２掛止爪４２１も、第１掛止爪４１１と連動して、第１の位置から第２の位置に移動する。
【００５８】
第１掛止爪４１１と第２掛止爪４２１の間隔は、非接触型記録メディア１０における挿入方向の長さと対応する間隔とされており、非接触型記録メディア１０が予め設定された位置まで挿入されたとき、非接触型記録メディア１０が第１掛止爪４１１を通過するように掛止部４０を配設する。このため、非接触型記録メディア１０が予め設定された位置となったとき、第１掛止爪４１１と第２掛止爪４２１は、弾性部材４３，４４の付勢力によってリーダライタ２０の表面よりも突出した第１の位置に移動する。すなわち、第１掛止爪４１１は、予め設定された位置に挿入された非接触型記録メディア１０の後端を掛止する状態となり、第２掛止爪４２１は予め設定された位置に挿入された非接触型記録メディア１０の前端を掛止する状態となる。したがって、非接触型記録メディア１０は、第１掛止爪４１１と第２掛止爪４２１によって、予め設定された位置に保持される。
【００５９】
また、第１アーム４１には、解除操作部４１５が形成されている。この解除操作部４１５は、第１掛止爪４１１と第２掛止爪４２１を第１の位置から第２の位置に移動させて、非接触型記録メディア１０の掛止状態を解除するためのものであり、ユーザによって操作されるものである。
【００６０】
次に、図９を用いて、非接触型記録メディアの装填動作について説明する。なお、図９では、解除操作部４１５を省略して図示している。
【００６１】
図９Ａに示すように、記録メディア保持装置３０ａの挿入口３２から非接触型記録メディア１０を挿入すると、非接触型記録メディア１０が第１掛止爪４１１の当接面４１１ｐを摺動することとなる。ここで、当接面４１１ｐを非接触型記録メディア１０が摺動するとき、非接触型記録メディア１０に対して弾性部材４３，４４の付勢力が加わる。しかし、非接触型記録メディア１０は、筐体３１ａによって抑止されるので、第１掛止爪４１１は、第１の位置から移動して図９Ｂに示すように収納部２５に収納されて第２の位置となる。また、第２掛止爪４２１は、第１掛止爪４１１と連動するように構成されていることから、第２掛止爪４２１も収納部２５に収納される。
【００６２】
挿入された非接触型記録メディア１０の後端が、第１掛止爪４１１を通過すると、図９Ｃに示すように第１掛止爪４１１と第２掛止爪４２１は、弾性部材４３，４４によってリーダライタ２０の表面よりも突出した第１の位置に復帰する。この第１掛止爪４１１と第２掛止爪４２１の間隔は、上述のように非接触型記録メディア１０における挿入方向の長さよりも僅かに広い間隔とされている。したがって、非接触型記録メディア１０の後端は第１掛止爪４１１によって掛止されることになり、非接触型記録メディア１０の前端は第２掛止爪４２１によって掛止されることになることから、第１掛止爪４１１と第２掛止爪４２１によって非接触型記録メディア１０を予め設定した位置に保持することができる。
【００６３】
記録メディア保持装置３０ａで保持されている非接触型記録メディア１０を取り出す場合、図９Ｄに示すように、解除操作部（図示せず）を矢印Ｆの方向に操作して、第１掛止爪４１１を収納部２５２に収納された第２の位置に移動させる。このとき、第２掛止爪４２１は、第１掛止爪４１１と連動して第２の位置に移動することから、第１掛止爪４１１と第２掛止爪４２１による非接触型記録メディア１０の掛止状態が解除される。したがって、非接触型記録メディア１０が落下するように記録メディア保持装置３０ａの向きを設定しておけば、図９Ｅに示すように、保持されていた非接触型記録メディア１０が記録メディア保持装置３０ａから排出されることとなる。また、筐体３１ａに設けた切り欠き３１２の位置で非接触型記録メディア１０を挟み、抜き出すようにしてもよい。
【００６４】
また、記録メディア保持装置３０ａでは、非接触型記録メディアが装填されているときに、新たな非接触型記録メディアを挿入するだけで、簡単に非接触記録メディアの交換を行うこともできる。
【００６５】
図１０は、非接触記録メディアの交換動作を説明するための図であり、図９と同様に解除操作部４１５を省略して図示している。
【００６６】
図１０Ａに示すように、記録メディア保持装置３０ａには、非接触型記録メディア１０ｃが保持されている。ここで、記録メディア保持装置３０ａの挿入口３２から新たな非接触型記録メディア１０ｄを挿入すると、非接触型記録メディア１０ｄが第１掛止爪４１１の当接面４１１ｐを摺動することとなる。このため、第１掛止爪４１１は、図１０Ｂに示すように収納部２５に収納された第２の位置に移動する。また、第２掛止爪４２１も第１掛止爪４１１と連動して第２の位置に移動する。すなわち、新たな非接触型記録メディア１０ｄを挿入することで、保持されていた非接触型記録メディア１０ｃの掛止状態が解除されて取り出し可能状態となる。
【００６７】
新たに挿入された非接触型記録メディア１０ｄが、第１掛止爪４１１の位置を通過すると、図１０Ｃに示すように、第１掛止爪４１１と第２掛止爪４２１は、弾性部材４３，４４によって、リーダライタ２０の表面よりも突出した第１の位置に移動する。したがって、非接触型記録メディア１０ｄの後端は第１掛止爪４１１によって掛止されることになり、非接触型記録メディア１０ｄの前端は第２掛止爪４２１によって掛止されることになることから、第１掛止爪４１１と第２掛止爪４２１によって、新たな非接触型記録メディア１０ｄを所望の位置に保持することができる。すなわち、非接触記録メディアの交換動作が完了する。
【００６８】
このように、記録メディア保持装置の挿入口から非接触型記録メディアを挿入するだけで、リーダライタとの信号伝送や電力伝送を行う位置に非接触型記録メディアを掛止爪によって確実に保持することができる。さらに、衝撃等が加わったとき、記録メディア保持装置から非接触型記録メディアを外れ難くすることも可能となる。また、非接触型記録メディアを交換する際にも、記録メディア保持装置の挿入口から新たな非接触型記録メディアを挿入するだけでよいことから、非接触型記録メディアの装填や交換を迅速かつ容易に行うことができる。
【００６９】
なお、第２掛止爪４２１においても、非接触型記録メディアの挿入時に非接触型記録メディアの前端が当接する当接面を、挿入された非接触型記録メディアが摺動するように形成すれば、非接触記録メディアの挿入方向が限定されない記録メディア保持装置を提供できる。
【００７０】
このような記録メディア保持装置は、交換可能な記録メディアに対してデータの書き込みや書き込まれているデータの読み出しを行うことができる電子機器に用いることができる。例えば交換可能な記録メディアとしてビデオテープ，磁気ディスク,光ディスクあるいは接触型記録メディア等を用いる電子機器において、これらの記録メディアに換えて非接触型記録メディアを用いるものとして、あるいは非接触型記録メディアを追加して用いるものとして、この非接触型記録メディアが使用可能とされた電子機器に記録メディア保持装置を設ける。
【００７１】
図１１は、例えば撮像装置にリーダライタの機能を設けることで非接触型記録メディアの使用を可能として、この非接触型記録メディアが使用可能とされた撮像装置に記録メディア保持装置を設けた場合を示している。また、図１２は、非接触型記録メディアが使用可能とされた撮像装置の構成を、非接触型記録メディアの構成とともに示したブロック図である。なお、図１２において、図１と対応する部分については同一符号を付し、詳細な説明は省略する。
【００７２】
撮像装置５０において、撮像レンズ５１を通して入射された光は、撮像部５２の撮像素子５２１に入射されて、撮像面上に被写体画像が結像される。撮像素子５２１は固体撮像素子例えばＣＣＤやＣＭＯＳを用いて構成されており、光電変換によって得られた被写体画像に基づく撮像信号を出力する。
【００７３】
映像信号処理部５２２は、撮像素子５２１から出力された撮像信号のノイズ除去やＡ／Ｄ変換を行う。また、Ａ／Ｄ変換を行うことにより得られた画像データを用いて、プロセス処理、例えばγ処理やニー補正処理等を行う。また、プロセス処理後の画像データを圧縮する処理や圧縮されている画像データを伸張する処理等を行う。さらに、映像信号処理部５２２は、画像データを接続されている電子ビューファインダ６０に供給して、撮影中の画像や録画された画像を表示させる。
【００７４】
信号伝送処理部５３は、信号伝送部１３と同様に構成された信号伝送部５４と接続されている。信号伝送処理部５３は、信号伝送部１３と信号伝送部５４との線路間結合を用いて信号伝送を行うことができるように、映像信号処理部５２２から供給された画像データを処理して、得られた高周波信号を信号伝送部５４に供給する。また、信号伝送部５４から供給された高周波信号を処理して非接触型記録メディア１０から読み出した画像データを映像信号処理部５２２に供給する。例えば、信号伝送処理部５３は、ＵＷＢ(Ultra Wide Band)と呼ばれる無線通信方式を用いるものとして、映像信号処理部５２２から供給された画像データの伝送を行う。
【００７５】
電源部５５は、撮像装置５０の各部に対して電力供給を行う。電力伝送処理部５６は、電力伝送部１１と同様に構成されている電力伝送部５７の平面コイルに対して交流電流を供給する。例えば、電力伝送処理部５６は、電源部５５から供給された直流電圧のスイッチングを行い、平面コイルの端子間に加わる電圧の極性を所定周波数で切り換えることで交流電流の供給を行う。
【００７６】
制御部５８にはユーザインタフェース５９が設けられている。制御部５８は、ユーザインタフェース５９から供給された操作信号に基づいた制御信号を生成して、この制御信号によって撮像部５２や信号伝送処理部５３および電力伝送処理部５６の動作を制御する。
【００７７】
このように構成された撮像装置５０では、例えばユーザによって録画操作が行われたとき、ユーザインタフェース５９から供給された操作信号に基づき電力伝送処理部５６の動作を制御部５８で制御して、非接触型記録メディア１０に対する電力供給を行う。また、制御部５８は、信号伝送処理部５３の動作を制御して、撮像画像の画像データを非接触型記録メディア１０に伝送して書き込み処理を行う。
【００７８】
録画した撮像画像を再生するユーザ操作が行われたとき、制御部５８は、ユーザインタフェース５９から供給された操作信号に基づき電力伝送処理部５６の動作を制御して非接触型記録メディア１０に対して電力供給を行う。また信号伝送処理部５３の動作を制御して、非接触型記録メディア１０に対して画像データの要求を行い、非接触型記録メディア１０から読み出した画像データに基づいて、例えば電子ビューファインダ６０で画像表示を行わせる。
【００７９】
ここで、非接触型記録メディアの交換を行う場合、ユーザは、記録メディア保持装置の挿入口から新たな非接触型記録メディアを挿入するだけでよいことから、簡単かつ速やかに非接触型記録メディアの交換を行うことができる。このため、撮像の中断時間を短縮することが可能となる。また、記録メディア保持装置の排出口から非接触型記録メディアが排出されても、この排出された非接触型記録メディアは保持されるので、脱落等による機械的衝撃等が非接触型記録メディアに加えられてしまうことを防止できる。
【００８０】
また、記録メディア保持装置は、撮像装置だけでなく、例えばリーダライタの機能を設けたテレビジョン装置やオーディオ装置、通信装置、情報端末装置等の種々の電子機器に適用することもできる。さらに、上述の信号伝送処理部５３はＵＷＢを使用しているが、信号伝送部５４の周波数帯域特性を変更することにより、他の伝送処理方式を使用することもできる。
【図面の簡単な説明】
【００８１】
【図１】非接触型記録メディアの構成を示す図である。
【図２】電力伝送部の構成を示す図である。
【図３】信号伝送部の構成を示す図である。
【図４】記録メディア保持装置と非接触型記録メディアの外観を示す図である。
【図５】非接触型記録メディアの装填／交換動作を示す図である。
【図６】他の構成の記録メディア保持装置の外観を示す図である。
【図７】他の構成の記録メディア保持装置の分解斜視図である。
【図８】掛止部の構成を示す図である。
【図９】非接触型記録メディアの装填動作を示す図である。
【図１０】非接触型記録メディアの交換動作を示す図である。
【図１１】撮像装置の外観を示す図である。
【図１２】撮像装置の構成を示す図である。
【符号の説明】
【００８２】
１０，１０ａ，１０ｂ，１０ｃ，１０ｄ・・・非接触型記録メディア、１１，５７・・・電力伝送部、１２・・・電力供給部、１３，５４・・・信号伝送部、１４，５３・・・信号伝送処理部、１５・・・メディア制御部、１６・・・記憶部、１９・・・凹部、２０・・・リーダライタ、２１・・・電力伝送部、２３・・・信号伝送部、２５・・・収納部、２６・・・制止部、３０，３０ａ・・・記録メディア保持装置、３１，３１ａ・・・筐体、３２・・・挿入口、３３・・・排出口、３５，３６・・・凸部、３９，３９ａ，３９ｂ・・・押圧部、４０・・・掛止部、４１・・・第１アーム、４２・・・第２アーム、４３，４４・・・弾性部材、５０・・・撮像装置、５１・・・撮像レンズ、５２・・・撮像部、５５・・・電源部、５６・・・電力伝送処理部、５８・・・制御部、５９・・・ユーザインタフェース、６０・・・電子ビューファインダ、１１１，２１１・・・単線、１１２，２１２・・・平面コイル、１１３，１１４，２１３，２１４・・・絶縁部、１１５、２１５・・・金属シート、１３１，２３１・・・誘電体基板、１３２，２３２・・・接地パターン、１３３，２３３・・・信号パターン、１３４，１３６，２３４，２３６・・・ビア、１３５，２３５・・・終端抵抗、３１１，３１２，３１３・・・切り欠き、４１１・・・第１掛止爪、４１１ｐ・・・当接面、４１２，４２２・・・連結部、４１３，４２３・・・軸、４１５・・・解除ノブ、４２１・・・第２掛止爪、５２１・・・撮像素子、５２２・・・映像信号処理部
【図１】
2007257604.tif 000003
【図２】
2007257604.tif 000004
【図３】
2007257604.tif 000005
【図４】
2007257604.tif 000006
【図５】
2007257604.tif 000007
【図６】
2007257604.tif 000008
【図７】
2007257604.tif 000009
【図８】
2007257604.tif 000010
【図９】
2007257604.tif 000011
【図１０】
2007257604.tif 000012
【図１１】
2007257604.tif 000013
【図１２】
2007257604.tif 000014
【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
挿入方向に対して後方側に係合部を設けた非接触型記録メディアが挿入される挿入口と、
前記挿入口からの前記非接触型記録メディアの挿入に連動して、挿入されていた前記非接触型記録メディアが排出される排出口と、
前記非接触型記録メディアが予め設定された位置まで挿入されたときに前記非接触型記録メディアの係合部と係合して、挿入された前記非接触型記録メディアを保持する第１の係合部と、
前記排出口側に設けられて、該排出口から排出される前記非接触型記録メディアの係合部と係合して、該排出される非接触型記録メディアを保持する第２の係合部を有する
ことを特徴とする記録メディア保持装置。
【請求項２】
前記挿入口から挿入された前記非接触型記録メディアによって、挿入されている前記非接触型記録メディアを押し出して前記排出口から排出させるものとし、
前記第２の係合部は、前記非接触型記録メディアが前記予め設定された位置まで挿入されたときに、前記排出口から押し出された前記非接触型記録メディアの係合部と係合する位置に設けた
ことを特徴とする請求項１記載の記録メディア保持装置。
【請求項３】
前記非接触型記録メディアに対してデータの読み書きを行うリーダライタが設けられている方向に、前記非接触型記録メディアを押圧する押圧部を設けた
ことを特徴とする請求項１記載の記録メディア保持装置。
【請求項４】
前記予め設定された位置は、前記非接触型記録メディアに対してデータの読み書きを行うリーダライタと、データ伝送を少なくとも行うことができる前記非接触型記録メディアの位置とした
ことを特徴とする請求項１記載の記録メディア保持装置。
【請求項５】
非接触型記録メディアが予め設定された位置まで挿入されたとき、該非接触型記録メディアの前端と後端をそれぞれ掛止する掛止爪が設けられた掛止部と、
前記掛止爪の位置が前記非接触型記録メディアを掛止する第１の位置となるように、前記掛止部を付勢する付勢部を有し、
前記掛止爪において、前記非接触型記録メディアの挿入時に該非接触型記録メディアの前端が当接する当接面は、挿入された前記非接触型記録メディアが摺動するように形成し、
前記非接触型記録メディアが挿入されたときは、該非接触型記録メディアを前記当接面で摺動させることにより、前記付勢部による付勢に反した力を生じさせて、前記掛止爪を前記非接触型記録メディアの掛止が行われない第２の位置に移動させるものとし、
前記非接触型記録メディアが予め設定された位置まで挿入されたとき、該非接触型記録メディアが摺動する当接面を形成した掛止爪を通過させて、前記付勢部によって前記掛止爪の位置を前記第１の位置に移動させる
ことを特徴とする記録メディア保持装置。
【請求項６】
前記掛止部は、前記非接触型記録メディアの後端を掛止する掛止爪が一方の端部に設けられて、他方の端部に連結部が設けられている第１アームと、前記非接触型記録メディアの前端を掛止する掛止爪が一方の端部に設けられて、他方の端部に前記第１アームの連結部と連結される連結部が設けられた第２アームを有し、
連結されている前記第１アームと前記第２アームを、それぞれ揺動可能に支持して、前記第１アームと前記第２アームの掛止爪を前記第１の位置あるいは前記第２の位置に連動して移動可能とする
ことを特徴とする請求項５記載の記録メディア保持装置。
【請求項７】
前記掛止部には、前記掛止爪を前記第１の位置から前記第２の位置に移動させる操作を行うための解除操作部を設けた
ことを特徴とする請求項５記載の記録メディア保持装置。
【請求項８】
前記非接触型記録メディアを前記当接面で摺動させるとき、前記付勢部による付勢によって、前記非接触型記録メディアが付勢方向に移動しまうことがないように抑止する抑止部を設けた
ことを特徴とする請求項５記載の記録メディア保持装置。
【請求項９】
前記予め設定された位置は、前記非接触型記録メディアに対してデータの読み書きを行うリーダライタと、データ伝送を少なくとも行うことができる前記非接触型記録メディアの位置とした
ことを特徴とする請求項５記載の記録メディア保持装置。
【請求項１０】
データを記憶する記憶部と、
前記記憶部に対してデータの書き込みや読み出しを行うメディア制御部と、
非接触で通信を行う信号伝送部と、
前記信号伝送部で受信した信号を処理して前記記憶部に書き込むデータを得る処理と、前記記憶部から読み出したデータに基づき前記信号伝送部から送信する信号を生成する信号伝送処理部と、
非接点電力伝送を行う電力伝送部と、
前記電力伝送部で得られた電力の供給を行う電力供給部を筐体内に設け、
前記筐体には、前記信号伝送部で前記非接触の通信と前記電力伝送部で非接点電力伝送を行う位置まで記録メディア保持装置に挿入されたとき、該記録メディア保持装置と係合する係合部を設けた
ことを特徴とする非接触型記録メディア。
【手続補正３】
【補正対象書類名】明細書
【補正対象項目名】０００５
【補正方法】変更
【補正の内容】
【０００５】
しかし、従来のリーダライタのように記録メディアをカード装填口に挿脱する構成とすると、記録メディアの交換の際には、カード装填口に装填されている記録メディアを引き抜いてから、新しい記録メディアをスロットに挿入する必要があり、記録メディアの交換に時間を要してしまう。このため、例えばビデオカメラで撮像した画像を記録メディアに書き込むものとした場合、記録メディアの交換に時間を要すると、重要なシーンを撮り逃がしてしまうおそれがある。また、記録メディアの挿脱を容易とするためには、記録メディアのインジェクト機構やイジェクト機構が必要となりコスト高となってしまう。
【手続補正４】
【補正対象書類名】明細書
【補正対象項目名】０００６
【補正方法】変更
【補正の内容】
【０００６】
そこで、この発明では非接触型記録メディアの交換を容易に行うことができる記録メディア保持装置と非接触型記録メディアを提供するものである。
【手続補正５】
【補正対象書類名】明細書
【補正対象項目名】０００８
【補正方法】変更
【補正の内容】
【０００８】
また、この発明に係る記録メディア保持装置は、非接触型記録メディアが予め設定された位置まで挿入されたとき、該非接触型記録メディアの前端と後端をそれぞれ掛止する掛止爪が設けられた掛止部と、掛止爪の位置が非接触型記録メディアを掛止する第１の位置となるように、掛止部を付勢する付勢部を有し、掛止爪において、非接触型記録メディアの挿入時に該非接触型記録メディアの前端が当接する当接面は、挿入された非接触型記録メディアが摺動するように形成し、非接触型記録メディアが挿入されたときは、該非接触型記録メディアを当接面で摺動させることにより、付勢部による付勢に反した力を生じさせて、掛止爪を非接触型記録メディアの掛止が行われない第２の位置に移動させるものとし、非接触型記録メディアが予め設定された位置まで挿入されたとき、該非接触型記録メディアが摺動する当接面を形成した掛止爪を通過させて、付勢部によって掛止爪の位置を前記第１の位置に移動させるものである。さらに、この発明に係る非接触型記録メディアは、データを記憶する記憶部と、前記記憶部に対してデータの書き込みや読み出しを行うメディア制御部と、非接触で通信を行う信号伝送部と、前記信号伝送部で受信した信号を処理して前記記憶部に書き込むデータを得る処理と、前記記憶部から読み出したデータに基づき前記信号伝送部から送信する信号を生成する信号伝送処理部と、非接点電力伝送を行う電力伝送部と、前記電力伝送部で得られた電力の供給を行う電力供給部を筐体内に設け、前記筐体には、前記信号伝送部で前記非接触の通信と前記電力伝送部で非接点電力伝送を行う位置まで記録メディア保持装置に挿入されたとき、該記録メディア保持装置と係合する係合部を設けたものである。
【手続補正６】
【補正対象書類名】図面
【補正対象項目名】図３
【補正方法】変更
【補正の内容】
【図３】
2007257604.tif 000015
【手続補正７】
【補正対象書類名】図面
【補正対象項目名】図６
【補正方法】変更
【補正の内容】
【図６】
2007257604.tif 000016